(57)【要約】【課題】複数の項目を表示した状態にてユーザが所望する項目を実行することができる表示制御装置等を提供することを目的とする。【解決手段】ＤＶＤのメニュー画像などの複数のメニュー項目３１Ａ，３２Ａを表示させ、当該表示画面３０に対する操作位置を検出した時に、検出されたユーザの操作位置が、各メニュー項目３１Ａ，３２Ａが選択可能な表示画面３０上の複数のメニュー項目選択領域３１Ｂ，３２Ｂに該当する場合には、所定条件に従って何れかのメニュー項目選択領域３１Ｂ，３２Ｂに対応したメニュー項目３１Ａ，３２Ａに対応する処理を実行する。複数のメニュー項目選択領域３１Ｂ，３２Ｂが重複している場合であっても、何れかのメニュー項目選択領域３１Ｂ，３２Ｂに対応したメニュー項目３１Ａ，３２Ａを選択することができる。【選択図】図２
2009211663.tif 000002
【特許請求の範囲】
【請求項１】
複数の操作項目を表示手段に表示させる表示制御手段と、
前記表示手段に表示させている各操作項目が選択可能な当該表示手段の表示画面上の操作項目選択領域に対するユーザの操作位置を検出する入力手段と、
前記入力手段によって検出されたユーザの操作位置が、前記表示手段に表示している複数の操作項目選択領域に該当する場合には、所定条件に従って、何れかの操作項目選択領域に対応した操作項目に対応する処理を実行する選択手段と
を備えることを特徴とする表示制御装置。
【請求項２】
前記所定条件は、前記操作位置を含む複数の操作項目選択領域のうち、当該操作位置から操作項目選択領域の重心位置までの距離が最も短い操作項目選択領域の操作項目を選択することであることを特徴とする請求項１に記載の表示制御装置。
【請求項３】
前記所定条件は、前記操作位置を含む複数の操作項目選択領域のうち、最も面積が小さい操作項目選択領域の操作項目を選択することであることを特徴とする請求項１に記載の表示制御装置。
【請求項４】
前記表示制御手段は、前記各操作項目に対応した操作項目選択領域を前記表示手段に表示させることを特徴とする請求項１に記載の表示制御装置。
【請求項５】
前記表示制御手段は、前記各操作項目に対応した操作項目選択領域が重複する場合には、選択可能な複数の操作項目の操作項目選択領域を重複させないで前記表示手段に表示させることを特徴とする請求項１乃至請求項４の何れか一項に記載の表示制御装置。
【請求項６】
前記表示制御手段は、前記各操作項目に対応した操作項目選択領域が重複する場合に、当該重複した操作項目選択領域部分が前記入力手段によって操作位置として検出された場合には、選択可能な複数の操作項目の操作項目選択領域を重複させないで前記表示手段に表示させることを特徴とする請求項１乃至請求項４の何れか一項に記載の表示制御装置。
【請求項７】
前記表示制御手段は、前記入力手段により検出されたユーザの操作位置を前記表示手段に表示させることを特徴とする請求項１乃至請求項６の何れか一項に記載の表示制御装置。
【請求項８】
複数の操作項目を表示手段に表示させ、当該表示手段の表示画面に対する操作位置を検出した時に、検出されたユーザの操作位置が、各操作項目が選択可能な当該表示手段の表示画面上の複数の操作項目選択領域に該当する場合には、所定条件に従って何れかの操作項目選択領域に対応した操作項目に対応する処理を実行することを特徴とする項目表示方法。
【発明の詳細な説明】
【技術分野】
【０００１】
本発明は、例えばメニュー項目などの複数の項目を表示してユーザに選択させことによって、選択された項目に対応した処理を実行させる表示制御装置及び項目表示方法に関する。
【背景技術】
【０００２】
従来より、タッチパネルとなっている液晶パネルに複数のメニュー項目を表示させ、当該液晶パネルに対する操作に従ってメニュー項目を選択できる技術が、下記の特許文献１などにて知られている。
【０００３】
この従来技術においては、例えばＤＶＤの記録再生装置を動作させるための複数のメニュー項目をタッチパネル上に表示し、当該タッチパネルに対するユーザの操作位置を検出する。ここで、各メニュー項目には、当該メニュー項目が選択されたことを認識するためのメニュー項目選択領域が設定されている。そして、ユーザの操作位置があるメニュー項目のメニュー項目選択領域に含まれていた場合には、当該メニュー項目に対応した処理をＤＶＤの記録再生装置によって実行させる。
【０００４】
このような技術においては、ユーザの操作位置に、複数のメニュー項目選択領域が該当している場合には、メニュー項目が特定できなくなることを防止するために、当該ユーザの操作位置を中心としてメニュー項目を含む画像を拡大させ、再度の操作を促している。
【特許文献１】特開２００２−３５１６１８号公報
【発明の開示】
【発明が解決しようとする課題】
【０００５】
しかしながら、上述した技術において、一方のメニュー項目選択領域が他方のメニュー項目選択領域に重なる割合が高い場合には、ユーザの操作位置によっては所望するメニュー項目を選択することができない可能性があった。
【０００６】
そこで、本発明は、上述した実情に鑑みて提案されたものであり、複数の項目を表示した状態にてユーザが所望する項目を実行することができる表示制御装置及び項目表示方法を提供することを目的とする。
【課題を解決するための手段】
【０００７】
本発明は、複数の操作項目を表示させ、当該表示画面に対する操作位置を検出した時に、検出されたユーザの操作位置が、各操作項目が選択可能な表示画面上の複数の操作項目選択領域に該当する場合には、所定条件に従って何れかの操作項目選択領域に対応した操作項目に対応する処理を実行する。
【発明の効果】
【０００８】
本発明によれば、複数の操作項目選択領域が重複している場合であっても、何れかの操作項目選択領域に対応した操作項目を選択することができ、複数の項目を表示した状態にてユーザが所望する項目を実行することができる。
【発明を実施するための最良の形態】
【０００９】
以下、本発明の実施の形態について図面を参照して説明する。
【００１０】
［第１実施形態］
本発明に係る表示制御装置及び項目表示方法は、例えば図１に示すように構成された第１実施形態に係る車載システムに適用される。この車載システムは、ナビゲーション機能、ＣＤ（Compact Disc）、ＨＤＤ等の記録媒体に記録された音声信号やラジオ放送を再生する音響再生機能、ＤＶＤ（Digital Versatile Disk）、ＨＤＤ等の記録媒体に記録された画像信号やテレビ放送を再生する画像再生機能を有する。
【００１１】
この車載システムは、当該車載システムの動作を統括する制御部１によって、映像や各種情報を表示部２に表示させる。また、この車載システムは、複数のメニュー項目（操作項目）を含むメニュー情報を表示部２に表示させることによって、各種の操作をユーザに行わせる。なお、以下では、ユーザに選択させる操作項目をメニュー項目として説明するが、これに限らず、リスト表示された情報や、アイコンなどの操作可能なものであれば良い。
【００１２】
車載システムは、映像、音声や各種情報のソースとして、ＣＤ再生部３、ラジオ受信部４、ＴＶ受信部５及びセレクタ５ａ、ＤＶＤ再生部６、ＨＤ記録再生部７、ナビゲーション部８及びＧＰＳ情報受信部８ａを備える。また、車載システムは、映像、音声及び各種情報を出力するための構成として、上記各部３〜８と接続された分配処理部９、音声処理部１０及びスピーカ１１、画像処理部１２及び画像出力部１３を備える。更に、車載システムは、車両の走行状態を検出する構成として、制御部１に車速情報を供給する車速センサ１４と、制御部１にシフト位置情報を供給するシフト位置センサ１５とを備えている。
【００１３】
表示部２は、表示画面に、ＤＶＤに記録された映像やＴＶ映像、操作メニューを表示する。表示部２は、表示画面に各種情報を表示する液晶パネル（表示手段）２１と、表示画面に対するユーザの操作を検出するための透明フィルムスイッチ等から構成されるタッチパネル２２とを備える。液晶パネル２１は、画像出力部１３から供給された映像データに従って動作を行うことによってＤＶＤ又はＴＶ映像を表示させる。また、液晶パネル２１は、画像出力部１３から供給されたメニュー画像データに従って、車載システムの各部を動作させるメニュー画像を表示させる。タッチパネル２２は、表示画面に対するユーザの操作位置を検出した時に当該表示画面内における操作位置情報を制御部１に出力する。
【００１４】
ＣＤ再生部３は、ＣＤに記録されたＣＤ音声データを読み取り、分配処理部９に出力する。ラジオ受信部４は、ラジオ放送波を受信し、ラジオ音声データとして分配処理部９に出力する。ＴＶ受信部５は、セレクタ５ａで受信しているテレビ放送波を受信し、ＴＶ映像データとして分配処理部９に出力する。ＤＶＤ再生部６は、ＤＶＤに記録された映像データを読み取り、ＤＶＤ映像データとして分配処理部９に出力する。ＨＤ記録再生部７は、磁気ディスクに記録された信号を読み取って分配処理部９に出力すると共に、分配処理部９から供給された情報を磁気ディスクに記録する。
【００１５】
ＨＤ記録再生部７は、ナビゲーション部８が用いる経路探索用地図データや地図・風景表示用の地図データ、楽曲の音声データ、楽曲における曲名等の楽曲情報データを記憶しても良い。また、ＨＤ記録再生部７は、ナビゲーション部８にて登録した登録地点情報や推奨経路情報等のデータや、処理のための一時記憶にも用いられる。
【００１６】
ナビゲーション部８は、ＨＤ記録再生部７に記憶された地図データ及び現在地の表示、目的地設定、ＨＤ記録再生部７に記録された地図データを参照した車両の現在地からユーザにより設定された目的地までの推奨経路の探索、推奨経路の案内、交通情報の報知などを行う。ナビゲーション部８は、ＧＰＳ情報受信部８ａから供給された現在地情報に基づいて、現在地表示、推奨経路の案内を行う。ＧＰＳ情報受信部８ａは、ＧＰＳ衛星からのＧＰＳ信号を受信してそのＧＰＳ信号に基づいて車両の現在地情報を算出する。
【００１７】
これらＣＤ再生部３、ラジオ受信部４、ＴＶ受信部５、ＤＶＤ再生部６、ＨＤ記録再生部７、ナビゲーション部８は、例えばタッチパネル２２に対するユーザの操作に従って制御部１から制御信号が供給される。これによって、これらＣＤ再生部３、ラジオ受信部４、ＴＶ受信部５、ＤＶＤ再生部６、ＨＤ記録再生部７、ナビゲーション部８は、制御信号に従ってそれぞれ動作する。
【００１８】
分配処理部９は、ＣＤ再生部３、ラジオ受信部４、ＴＶ受信部５、ＤＶＤ再生部６、ＨＤ記録再生部７又はナビゲーション部８から供給されたデータを選択的に入力し、音声データを音声処理部１０に出力し、映像データやメニュー画像データを画像処理部１２に出力する。分配処理部９は、例えばタッチパネル２２に対するユーザの操作に従って制御信号が供給される。そして、分配処理部９は、制御信号に従って、ＣＤ再生部３、ラジオ受信部４、ＴＶ受信部５、ＤＶＤ再生部６、ＨＤ記録再生部７、ナビゲーション部８から供給されているデータを分配する動作を切り替える。
【００１９】
音声処理部１０は、分配処理部９から供給された音声データを処理して音声の出力レベルの調整、周波数特性の調整、音場特性（遅延処理等による反射音，残響音特性）の調整を行う。この音声処理部１０は、ＤＳＰ等からなるディジタル信号処理回路により構成される。この音声処理部１０によって行われる音声処理は、例えばユーザの音声出力レベルの変更操作などに従った制御部１からの制御信号に従って調整される。この音声処理部１０で処理された音声信号は、増幅器（図示せず）で増幅され、スピーカ１１から音声として出力される。
【００２０】
画像処理部１２は、映像データ、メニュー画像データを処理して表示画像の色調、明るさ、コントラスト調整、また分割画面や拡大・縮小、文字等を重畳表示する画像処理を行う。この画像処理部１２は、映像データやメニュー画像データを記憶する画像メモリ、画像メモリに記憶された映像データやメニュー画像データにディジタル演算処理を施すＤＳＰ等からなるディジタル処理回路、表示出力画像が記録されるＶＲＡＭ（ビデオＲＡＭ）等により構成される。この画像処理部１２によって行われる処理は、例えばユーザの操作に従った制御部１からの制御信号に従って調整される。
【００２１】
画像出力部１３は、画像処理部１２のＶＲＡＭに記憶されたデータに基づき液晶パネル２１を駆動して画像を表示部２に表示する。この画像出力部１３は、画像処理部１２のＶＲＡＭに記憶されたデータを液晶パネル２１駆動用の画像信号に変換する変換回路や増幅回路、同期信号生成回路等により構成される。なお、この画像出力部１３の動作は、制御部１からの制御信号に従って制御される。
【００２２】
このように、制御部１は、分配処理部９、画像処理部１２及び画像出力部１３を制御して、複数のメニュー項目を表示部２の液晶パネル２１に表示させる表示制御手段として機能する。
【００２３】
制御部１は、タッチパネル２２によって検出された操作位置情報に従って、上述の各部を統括して制御する。制御部１は、ＣＤ再生部３、ラジオ受信部４、ＴＶ受信部５、ナビゲーション部８を制御する場合には、例えば予めＨＤ記録再生部７に記憶されたメニュー情報を読み出して、ＨＤ記録再生部７から分配処理部９にメニュー画像データを出力させる。
【００２４】
ＨＤ記録再生部７に記憶されたメニュー情報は、複数の階層のうちの各階層に複数のメニュー項目を配置してなり、一画面内に複数のメニュー項目を表示させるための情報である。また、このメニュー情報には、各階層ごとの複数のメニュー項目が一画面内においてレイアウトされたメニュー画像データと、各メニュー項目をタッチパネル２２上で選択可能とするメニュー項目選択領域を示す座標情報とが含まれている。なお、このメニュー項目としては、ユーザが選択する選択肢の他に、ＯＫボタンやキャンセルボタンも含まれるものとする。
【００２５】
そして、ＨＤ記録再生部７は、制御部１からの制御信号に従って、メニュー情報を参照して、複数のメニュー項目からなるメニュー画像データを作成する。ここで、ＨＤ記録再生部７に記憶されたＣＤ再生部３、ラジオ受信部４、ＴＶ受信部５及びナビゲーション部８を動作させるためのメニュー情報は、表示部２の表示画面の形状やサイズなどに合わせて設計されたメニュー項目のレイアウト及びメニュー項目選択領域の座標情報となっている。したがって、ＣＤ再生部３、ラジオ受信部４、ＴＶ受信部５やナビゲーション部８を動作させるために表示部２にメニュー画像を表示させても、各メニュー項目のメニュー項目選択領域同士が重複することはない。
【００２６】
また、制御部１は、ＤＶＤ再生部６に装着されたＤＶＤに格納されたコンテンツデータを再生などする場合には、ＤＶＤ再生部６によってＤＶＤに格納されたメニュー情報を読み出させて、メニュー画像データを分配処理部９に出力させる。ここで、制御部１は、車速センサ１４によって取得された車速信号、シフト位置センサ１５によって取得されたシフト位置などから車両が停車している場合のみにＤＶＤに記憶されたコンテンツの再生を許可する。一方、制御部１は、車速、シフト位置などから、車両が走行している状態であると判定した場合には、ＤＶＤに記憶されたコンテンツの再生を禁止する。
【００２７】
このＤＶＤに記憶されたメニュー情報は、ＨＤ記録再生部７に記憶されたメニュー情報と同様に、複数のメニュー項目を含み、一画面内に複数のメニュー項目を表示させるための情報である。また、このメニュー情報には、各階層ごとの複数のメニュー項目が一画面内においてレイアウトされたメニュー画像データと、各メニュー項目をタッチパネル２２上で選択可能とするメニュー項目選択領域を示す座標情報とが含まれている。なお、このメニュー項目としては、ユーザが選択する選択肢の他に、ＯＫボタンやキャンセルボタンも含まれるものとする。
【００２８】
このＤＶＤに記録されたメニュー情報は、ＤＶＤのコンテンツ作製者によって設計されたものである。したがって、メニュー項目のレイアウト及びメニュー項目選択領域の広さは、ＤＶＤのコンテンツ作製者が決めたものとなっている。したがって、ＤＶＤのメニュー情報は、図２に示すメニュー項目表示領域３１Ａ及びメニュー項目選択領域３１Ｂ、メニュー項目表示領域３２Ａ及びメニュー項目選択領域３２Ｂに規則性がないこととなっている。
【００２９】
具体的には、図２に示すように、ＤＶＤ再生部６を動作させるために表示部２にメニュー画像を表示させた場合、表示部２の表示画面３０に、文字で表されたメニュー項目Ａのメニュー項目表示領域３１Ａより広いメニュー項目選択領域３１Ｂと、文字で表されたメニュー項目Ｂのメニュー項目表示領域３２Ａより広いメニュー項目選択領域３２Ｂとが重複する事象が発生する。
【００３０】
この原因は、例えばＤＶＤのメニュー情報が表示部２の表示画面３０よりも大きい画面や、表示部２の表示画面３０とは異なる縦横比で構成された画面を想定して各メニュー項目選択領域の座標情報が設定されていることが挙げられる。したがって、車載システムは、ＤＶＤ再生部６から出力されたＤＶＤのメニュー画像データを画像処理部１２によって縮小などの処理を施して、液晶パネル２１の表示画面３０に合うようにメニュー項目表示領域３１Ａ及びメニュー項目表示領域３２Ａでメニュー項目Ａ及びメニュー項目Ｂを表示させても、メニュー項目Ａのメニュー項目選択領域３１Ｂとメニュー項目Ｂのメニュー項目選択領域３２Ｂとが重複してしまう。
【００３１】
そこで、車載システムの制御部１は、表示部２の表示画面３０に表示させている各メニュー項目が選択可能な当該表示画面３０上のメニュー項目選択領域に対するユーザの操作位置をタッチパネル２２が検出した場合、検出されたユーザの操作位置が、表示画面３０に表示している複数のメニュー項目選択領域に該当する場合には、所定条件に従って、何れかのメニュー項目選択領域に対応したメニュー項目に対応する処理を実行する（選択手段）。
【００３２】
具体的には、制御部１は、所定条件として、タッチパネル２２によって検出された操作位置を含む複数のメニュー項目選択領域のうち、当該操作位置からメニュー項目選択領域の重心位置までの距離が最も短いメニュー項目選択領域のメニュー項目を選択することを採用する。すなわち、図３に示すように、メニュー項目Ａのメニュー項目選択領域３１Ｂとメニュー項目Ｂのメニュー項目選択領域３２Ｂとが重複している場合、制御部１は、メニュー項目選択領域３１Ｂの重心位置３１Ｃと操作位置３３との距離Ｄ１と、メニュー項目選択領域３２Ｂの重心位置３２Ｃと操作位置３３との距離Ｄ２とを比較して、距離が短い方のメニュー項目Ｂが選択されたと判定する。なお、図２，図３では、説明の便宜上、メニュー項目選択領域３１Ｂ、メニュー項目選択領域３２Ｂを線で示したが、実際には、これらは表示されていない。
【００３３】
このような処理を行う制御部１は、図４に示すように、先ず、ステップＳ１において、タッチパネル２２から操作位置情報が供給されて、ユーザのタッチパネル２２に対するメニュー項目決定のための操作を検出すると、ステップＳ２に処理を進める。
【００３４】
ステップＳ２においては、制御部１によって、ステップＳ１にて供給された操作位置情報に基づいて、表示画面３０内における操作位置を検出して、ステップＳ３に処理を進める。
【００３５】
ステップＳ３においては、制御部１によって、ステップＳ２にて検出された表示画面３０内における操作位置にメニュー項目選択領域が複数存在するか否かを判定する。操作位置に複数のメニュー項目選択領域が存在する場合にはステップＳ４に処理を進め、操作位置に複数のメニュー項目選択領域が存在しない場合にはステップＳ５に処理を進める。
【００３６】
ここで、制御部１は、メニュー画像データが表示画面３０の液晶パネル２１に表示された時点で、メニュー画像における各メニュー項目のレイアウト及びメニュー項目選択領域の座標情報に基づいてメニュー項目選択領域を演算しておく。また、制御部１は、演算したメニュー項目選択領域に基づいてメニュー項目選択領域の重心位置も演算しておく。
【００３７】
例えば、図３に示すように、メニュー項目選択領域３１Ｂとメニュー項目選択領域３２Ｂとの重複領域に対して操作位置３３が検出された場合には、処理はステップＳ４に進められる。
【００３８】
ステップＳ４においては、制御部１によって、ステップＳ３にて操作位置に複数のメニュー項目選択領域が存在すると判定されたメニュー項目選択領域のうち、それぞれのメニュー項目選択領域の重心位置が、ユーザの操作位置に最も近いメニュー項目を選択する。
【００３９】
そして、制御部１は、現在操作されている機器がＤＶＤ再生部６である場合、選択したメニュー項目の情報をＤＶＤ再生部６に供給する。これによって、車載システムは、ＤＶＤ再生部６によって記録再生動作を行わせたり、表示画面３０のメニュー画像を下位層のメニュー画像に遷移させることができる。
【００４０】
一方、ステップＳ５においては、制御部１によって、操作位置が含まれるメニュー項目選択領域のメニュー項目を選択する。そして、制御部１は、現在操作されている機器がナビゲーション部８等である場合、選択したメニュー項目の情報をナビゲーション部８等に供給する。これによって、車載システムは、ナビゲーション部８等によってユーザが所望する動作を行わせたり、表示画面３０のメニュー画像を下位層のメニュー画像に遷移させることができる。
【００４１】
なお、この車載システムは、タッチパネル２２に対してユーザが操作した時に、図５に示すように、当該操作位置３３を表示させることが望ましい。この時、制御部１は、タッチパネル２２から操作位置情報が供給された時に、当該操作位置を表示させるように操作位置３３を重畳表示するために、供給された操作位置情報を含む制御信号を画像処理部１２に供給する。そして、画像処理部１２は、制御信号に含まれる操作位置情報に従って、当該操作位置３３を重畳したメニュー画像に更新するように画像出力部１３及び液晶パネル２１を制御する。これにより、車載システムは、当該車載システムが認識したユーザの操作位置をユーザ自身に提示することができる。
【００４２】
以上詳細に説明したように、本発明を適用した第１実施形態に係る車載システムによれば、ユーザのタッチパネル２２に対する操作を検出した時に、ユーザの操作位置が、複数のメニュー項目のメニュー項目選択領域に該当する場合には、所定条件に従って、何れかのメニュー項目選択領域に対応したメニュー項目に対応する処理を実行することができる。これにより、この車載システムによれば、メニュー項目選択領域が重複している領域に対するユーザの操作を検出した場合でも、ユーザが所望する動作を実行することができる。
【００４３】
具体的には、車載システムは、ユーザの操作位置を含む複数のメニュー項目選択領域のうち、当該操作位置からメニュー項目選択領域の重心位置までの距離が最も短いメニュー項目選択領域のメニュー項目を選択するので、メニュー項目選択領域が重複している領域を操作された場合でもユーザが所望する操作を実行する効果を実現できる。
【００４４】
また、この車載システムによれば、図５を参照して説明したように、タッチパネル２２により検出されたユーザの操作位置を液晶パネル２１に表示させるので、ユーザの操作位置を車載システムで認識した結果として表示することができ、ユーザの操作位置を確認させることができる。
【００４５】
［第２実施形態］
つぎに、本発明を適用した第２実施形態に係る車載システムについて説明する。なお、上述した第１実施形態と同様の部分については同じ符合、ステップ番号を付することによってその詳細な説明を省略する。
【００４６】
第２実施形態に係る車載システムにおいて、制御部１は、ユーザの操作位置が表示画面に表示している複数のメニュー項目選択領域に該当する場合に、所定条件として、当該操作位置を含む複数のメニュー項目選択領域のうち、最も面積が小さいメニュー項目選択領域の操作項目を選択することを採用する。すなわち、図６に示すように、メニュー項目Ａのメニュー項目選択領域３１Ｂとメニュー項目Ｂのメニュー項目選択領域３２Ｂとが重複している場合、制御部１は、メニュー項目選択領域３１Ｂの面積と、メニュー項目選択領域３２Ｂの面積とを比較して、面積が小さい方のメニュー項目Ｂが選択されたことを判定する。
【００４７】
なお、図６では、説明の便宜上、メニュー項目表示領域３１Ａ、メニュー項目選択領域３１Ｂ、メニュー項目表示領域３２Ａ、メニュー項目選択領域３２Ｂを線で示したが、実際には、これらを表示しなくても良く、メニュー項目表示領域３１Ａ、メニュー項目表示領域３２Ａ内のメニュー項目の内容が文字表示されているだけである。
【００４８】
このような処理を行う制御部１は、図７に示すように、ステップＳ３において操作位置にメニュー項目選択領域が複数存在すると判定した場合に、メニュー項目選択領域の面積に基づいて一つのメニュー項目を選択するステップＳ１１に処理を進める。
【００４９】
ステップＳ１１においては、制御部１によって、ステップＳ３にて操作位置に複数のメニュー項目選択領域が存在すると判定されたメニュー項目選択領域のうち、メニュー項目選択領域の面積が小さい方のメニュー項目を選択する。ここで、制御部１は、メニュー画像を液晶パネル２１に表示させる時に取得した各メニュー項目のメニュー項目選択領域の座標情報を参照して、予め各メニュー項目選択領域の面積を求めておく。
【００５０】
そして、制御部１は、現在操作されている機器がＤＶＤ再生部６である場合、選択したメニュー項目の情報をＤＶＤ再生部６に供給する。これによって、車載システムは、ＤＶＤ再生部６によって記録再生動作を行わせたり、表示画面３０のメニュー画像を下位層のメニュー画像に遷移させることができる。
【００５１】
以上詳細に説明したように、本発明を適用した第２実施形態に係る車載システムによれば、ユーザのタッチパネル２２に対する操作を検出した時に、ユーザの操作位置が、複数のメニュー項目のメニュー項目選択領域に該当する場合には、当該複数のメニュー項目選択領域のうち面積が小さいメニュー項目選択領域のメニュー項目を選択する。これにより、車載システムは、メニュー項目選択領域が重複している領域を操作された場合でもユーザが所望する操作を実行する効果を実現できる。
【００５２】
［第３実施形態］
つぎに、第３実施形態に係る車載システムについて説明する。なお、上述の実施形態と同様の部分については同一符号を付することによりその詳細な説明を省略する。
【００５３】
第３実施形態に係る車載システムは、制御部１によって、各メニュー項目に対応したメニュー項目選択領域を液晶パネル２１に表示させる点で、上述した実施形態とは異なる。
【００５４】
この車載システムは、図８に示すように、メニュー項目Ａ、メニュー項目Ｂを表示させる場合に、点線で表現されたメニュー項目選択領域３１Ｂ’、メニュー項目選択領域３２Ｂ’を表示させる。
【００５５】
この車載システムは、メニュー画像を液晶パネル２１によって表示させる時に、メニュー画像におけるメニュー項目のレイアウト及び制御部１によって取得したメニュー項目選択領域の座標情報に基づいて、表示画面３０内におけるメニュー項目選択領域３１Ｂ、メニュー項目選択領域３２Ｂの座標を演算する。そして、制御部１は、当該メニュー項目選択領域３１Ｂ、メニュー項目選択領域３２Ｂの座標を、メニュー画像に重畳して表示させる制御信号を画像処理部１２に供給して、図８に示したようなメニュー項目選択領域３１Ｂ’メニュー項目選択領域３２Ｂ’を表示させる。
【００５６】
このように、第３実施形態に係る車載システムによれば、ユーザがメニュー項目を選択可能なメニュー項目選択領域を表示させるので、メニュー項目選択領域が重複する領域を避けて操作させることができる。これにより、車載システムは、メニュー項目選択領域が重複している場合でもユーザが所望する操作を実行する効果を実現できる。
【００５７】
なお、この車載システムは、複数のメニュー項目選択領域が重複していることを検出した場合のみ、メニュー項目選択領域３１Ｂ’、メニュー項目選択領域３２Ｂ’を表示させても良い。
【００５８】
［第４実施形態］
つぎに、第４実施形態に係る車載システムについて説明する。なお、上述の実施形態と同様の部分については同一符号を付することによりその詳細な説明を省略する。
【００５９】
第４実施形態に係る車載システムは、制御部１によって、各メニュー項目に対応したメニュー項目選択領域が重複する場合には、選択可能な複数のメニュー項目のメニュー項目選択領域を重複させないで液晶パネル２１に表示させるものである。
【００６０】
この車載システムは、図９に示すように、メニュー項目Ａのメニュー項目選択領域３１Ｂとメニュー項目Ｂのメニュー項目選択領域３２Ｂとが重複していることを検出した場合には、表示画面３０に、「選択可能なメニュー項目は以下です」とのメッセージ３４ａと、メニュー項目Ａが文字表示された当該メニュー項目Ａのメニュー項目選択領域３４ｂと、メニュー項目Ｂが文字表示された当該メニュー項目Ｂのメニュー項目選択領域３４ｃとを含む操作リスト３４を表示させる。また、この操作リスト３４は、なるべくメニュー項目選択領域３１Ｂ、メニュー項目選択領域３２Ｂと重複しない領域に表示される。
【００６１】
この操作リスト３４の表示データは、制御部１によって作成されて画像処理部１２によってメニュー画像上に重畳される。例えば、制御部１は、ＤＶＤ再生部６のメニュー情報を表示させる時に、重複しているメニュー項目のメニュー項目選択領域を取得した場合に、当該複数のメニュー項目名とメッセージ３４ａとを組み合わせた操作リスト３４の表示データを作成して、画像出力部１３に供給する。そして、制御部１は、画像出力部１３によって、現在表示しているメニュー画像の所定位置に操作リスト３４を重畳表示させる。そして、制御部１は、操作リスト３４を表示させている所定位置のメニュー項目選択領域３４ｂ，３４ｃに対する操作を検出した場合に、メニュー項目Ａ、メニュー項目Ｂがユーザによって選択されたことを判定できる。
【００６２】
これにより、制御部１は、メニュー項目選択領域３４ｂが表示された領域に対するユーザの操作を検出した場合にメニュー項目Ａが選択されたことを認識し、メニュー項目選択領域３４ｃが表示された領域に対するユーザの操作を検出した場合にメニュー項目Ｂが選択されたことを認識する。
【００６３】
このような車載システムによれば、操作リスト３４を表示させることによって、メニュー項目選択領域が重複する領域ではなく、リスト化されたメニュー項目を選択させることができる。
【００６４】
また、この車載システムの制御部１は、各メニュー項目に対応したメニュー項目選択領域が重複する場合に、当該重複したメニュー項目選択領域部分が操作位置として検出された場合には、選択可能な複数のメニュー項目のメニュー項目選択領域を重複させないで表示させても良い。すなわち、制御部１は、ユーザの操作位置が、メニュー項目選択領域３１Ｂとメニュー項目選択領域３２Ｂとの重複位置であると判定した場合には、図９に示すように、メニュー項目Ａのメニュー項目選択領域３４ｂとメニュー項目Ｂのメニュー項目選択領域３４ｃとを含む操作リスト３４を表示させても良い。
【００６５】
これにより、この車載システムによれば、メニュー項目選択領域が重複していない操作リスト３４上のメニュー項目選択領域３４ｂ、メニュー項目選択領域３４ｃを再度選択させることができ、所望のメニュー項目を選択させることができる。
【００６６】
［第５実施形態］
つぎに、第５実施形態に係る車載システムについて説明する。なお、上述の実施形態と同様の部分については同一符号を付することによりその詳細な説明を省略する。
【００６７】
第５実施形態に係る車載システムは、メニュー項目選択領域が重複している場合に、ユーザの操作位置に対応するメニュー項目を表示するものである。具体的には、図１０に示すようにメニュー項目選択領域３１Ｂとメニュー項目選択領域３２Ｂとが重複している場合において、メニュー項目選択領域３１Ｂに含まれる位置がユーザの操作位置３３として制御部１によって検出された場合、制御部１は、メニュー項目Ａのみをメニュー画像として表示し、メニュー項目Ｂについてのメニュー項目表示領域３２Ａ及びメニュー項目選択領域３２Ｂを非表示とさせる。
【００６８】
また、この車載システムは、図１１に示すように、ユーザの操作位置が３３ａから移動して、メニュー項目Ｂのメニュー項目選択領域３２Ｂ内の３３ｂとなった場合には、メニュー項目Ａについて表示していたメニュー項目表示領域３１Ａを非表示にする。また、車載システムは、メニュー項目Ｂのメニュー項目表示領域３２Ａを表示させる。
【００６９】
このような車載システムは、メニュー項目選択領域が重複している場合に、操作位置３３が検出されたことをトリガーとして表示させるメニュー項目を変化させることができる。
【００７０】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００７１】
【図１】本発明を適用した車載システムの構成を示すブロック図である。
【図２】本発明を適用した第１実施形態に係る車載システムによって表示させるメニュー画像のメニュー項目表示領域、メニュー項目選択領域を説明する図である。
【図３】本発明を適用した第１実施形態に係る車載システムにおいて、メニュー項目選択領域の重心位置に基づいて、操作されたメニュー項目を選択する処理を説明する図である。
【図４】本発明を適用した第１実施形態に係る車載システムにおいて、メニュー項目選択領域の重心位置に基づいて、操作されたメニュー項目を選択する処理を示すフローチャートである。
【図５】本発明を適用した第１実施形態に係る車載システムにおいて、表示画面に対して操作されたユーザの操作位置を表示することを説明する図である。
【図６】本発明を適用した第２実施形態に係る車載システムにおいて、メニュー項目選択領域の面積に基づいて、操作されたメニュー項目を選択する処理を説明する図である。
【図７】本発明を適用した第２実施形態に係る車載システムにおいて、メニュー項目選択領域の面積に基づいて、操作されたメニュー項目を選択する処理を示すフローチャートである。
【図８】本発明を適用した第３実施形態に係る車載システムにおいて、メニュー項目選択領域を表示させることについて説明する図である。
【図９】本発明を適用した第４実施形態に係る車載システムにおいて、重複するメニュー項目選択領域がある場合に、メニュー項目選択領域のリストを表示させることを説明する図である。
【図１０】本発明を適用した第５実施形態に係る車載システムにおいて、ユーザの操作位置に追従してメニュー項目表示領域、メニュー項目選択領域を表示することを説明する図である。
【図１１】本発明を適用した第５実施形態に係る車載システムにおいて、ユーザの操作位置に追従してメニュー項目表示領域、メニュー項目選択領域を表示することを説明する他の図である。
【符号の説明】
【００７２】
１  制御部
２  表示部
３  ＣＤ再生部
４  ラジオ受信部
５  ＴＶ受信部
５ａ  セレクタ
６  ＤＶＤ再生部
７  ＨＤ記録再生部
８  ナビゲーション部
８ａ  ＧＰＳ情報受信部
９  分配処理部
１０  音声処理部
１１  スピーカ
１２  画像処理部
１３  画像出力部
１４  車速センサ
１５  シフト位置センサ
２１  液晶パネル
２２  タッチパネル
３０  表示画面
３１Ａ  メニュー項目表示領域
３１Ｂ  メニュー項目選択領域
３１Ｃ  重心位置
３２Ａ  メニュー項目表示領域
３２Ｂ  メニュー項目選択領域
３２Ｃ  重心位置
３３  操作位置
３４  操作リスト
３４ａ  メッセージ
３４ｂ、３４ｃ  メニュー項目選択領域
【図１】
2009211663.tif 000003
【図２】
2009211663.tif 000004
【図３】
2009211663.tif 000005
【図４】
2009211663.tif 000006
【図５】
2009211663.tif 000007
【図６】
2009211663.tif 000008
【図７】
2009211663.tif 000009
【図８】
2009211663.tif 000010
【図９】
2009211663.tif 000011
【図１０】
2009211663.tif 000012
【図１１】
2009211663.tif 000013